(57)【要約】【課題】噴出ノズル本体を所定角度に傾斜させることによりムースやエアゾールを噴出ノズルから噴出させる形式の噴出ノズル付き正圧缶に噴出ノズル部を含めて被せるカバーキャップであって、噴射ノズル部を保護し、意匠性を付与するカバーキャップ機能と噴出させるディスペンサー機能とを付加することにある。【解決手段】筒状の側板１と、該側板１の上端に天板２と、該側板１下端部より上側から天板２の中央部に亘って部分的に設けた切欠部１１と、前記天板２の切欠部内に水平方向に嵌入し且つ該天板２に復元性のある柔軟接続板３を介して連設した傾斜面４ａを備えた可動板４と、該可動板４に立設したノズル部５と、前記側板１の切欠部内に嵌入し且つ該側板１の前記切欠部下端部にヒンジを介して立設した押圧板８と前記傾斜面４ａに当接する水平板９とからなる逆Ｌ字型押板７とを備える。【選択図】図１
2004089842.tif 000002
【特許請求の範囲】
【請求項１】
筒状の側板１と、該側板１の上端に天板２と、該側板１下端部より上側から天板２の中央部に亘って部分的に設けた切欠部１１と、前記天板２の切欠部内に水平方向に嵌入し且つ該天板２に復元性のある柔軟接続板３を介して連設した可動板４と、該可動板４に立設したノズル部５と、該可動板４の前部に設けた傾斜面４ａと、前記側板１の切欠部内に嵌入し且つ該側板１の前記切欠部下端部にヒンジ６を介して立設した押圧板８と水平板９とからなる逆Ｌ字型押板７とを備え、該押圧板８を押圧して水平板９先端を前記可動板４前部の傾斜面４ａに沿って当接移動させることにより、該可動板４とノズル部５と該ノズル部５内に嵌入させた噴出ノズル付き正圧缶の噴出ノズル２３とを前記接続板３を介して傾斜揺動可能にしたことを特徴とする噴出ノズル付き正圧缶カバーキャップ。
【発明の詳細な説明】
【０００１】
【発明の属する技術分野】
本発明は、容器内にプラス気圧を付加したムース（泡状液）やエアーゾール等の液体や気体を充填密封した噴出ノズル付き正圧缶の上部ノズル部に被せる噴出ノズル付き正圧缶カバーキャップに関する。
【０００２】
【従来の技術】
従来より、容器内にプラス気圧を付加して、芳香剤、消臭剤、あるいは整髪液やシャンプー剤、髭剃り剤、あるいは虫避け剤、殺虫剤など、エアゾールやムース（泡状液）等の液体を正圧気体と共に充填密封した正圧缶容器がある。
【０００３】
上記ムース缶やエアゾール缶は、噴出孔や噴出ノズルなどの注出部を備えていて、注出部の近傍に設けた開放用プッシュボタンを押圧することにより、注出部からムースやエアゾールを噴出させることができるようになっている。
【０００４】
また、噴出ノズル付き正圧缶の場合には、噴出ノズル本体を缶の内側方向に押圧したり、所定角度に傾斜させたりすることにより、噴出ノズル部と缶内とが連通し、噴出ノズルが開放して、缶内のムースやエアゾールを噴出ノズルから噴出させることができる形式のものがある。
【０００５】
【発明が解決しようとする課題】
本発明は、噴出ノズル本体を、所定角度に傾斜させることにより、噴出ノズル部と缶内とが連通し、噴出ノズルが開放して、缶内のムースやエアゾールを噴出ノズルから噴出させる形式の噴出ノズル付き正圧缶において、その缶の上部に噴出ノズル部を含めて被せるプラスチック製のカバーキャップであって、正圧缶の噴射ノズル部を保護するとともに、意匠性を付与するためのカバーキャップ機能と、そのカバーキャップの押圧板を横方向から押圧することにより正圧缶の噴出ノズルを傾斜させて、缶内のムースやエアゾールを噴出ノズルから噴出させるディスペンサー機能とを付加することにある。
【０００６】
【課題を解決するための手段】
本発明の請求項１に係る発明は、筒状の側板１と、該側板１上端に天板２と、該側板１下端部より上側から天板２の中央部に亘って部分的に設けた切欠部１１と、前記天板２の切欠部内に水平方向に嵌入し且つ該天板２に復元性のある柔軟接続板３を介して連設した可動板４と、該可動板４に立設したノズル部５と、該可動板４の前部に設けた傾斜面４ａと、前記側板１の切欠部内に嵌入し且つ該側板１の前記切欠部下端部にヒンジ６を介して立設した押圧板８と水平板９とからなる逆Ｌ字型押板７とを備え、該押圧板８を押圧して水平板９先端を前記可動板４前部の傾斜面４ａに沿って当接移動させることにより、該可動板４とノズル部５と該ノズル部５内に嵌入させた噴出ノズル付き正圧缶の噴出ノズル２３とを前記接続板３を介して傾斜揺動可能にしたことを特徴とする噴出ノズル付き正圧缶カバーキャップである。
【０００７】
【発明の実施の形態】
本発明の噴出ノズル付き正圧缶カバーキャップの実施の形態を、図１、図２に基づいて以下に詳細に説明すれば、図１は、噴出ノズル付き正圧缶カバーキャップＡの側断面図と、該カバーキャップＡを被せた噴出ノズル付き正圧缶Ｂの側面図である。
【０００８】
本発明のキャップＡは、図１に示すように、筒状の側板１と、該側板１の上端に天板２を備え、該側板１下端部より上側から天板２の中央部に亘って部分的に切欠部１１が設けられ、前記天板２部分の切欠部１１内には、該天板２に復元性のある柔軟接続板３（又は復元性のある薄肉部３）を介して連設した可動板４が水平方向に嵌入していて、該可動板４には、ノズル部５が立設している。
【０００９】
また、前記側板１部分の切欠部１１内には、該側板１部分の前記切欠部１１の下端部１２にヒンジ６を介して立設した押圧板８と水平板９とからなる逆Ｌ字型押板７が嵌入している。
【００１０】
前記押圧板８の幅方向両側には、張出部８ａ、８ａが設けられていて、該張出部８ａは、側板１部分にある前記切欠部１１の左右端部１３、１３における側板１内面相当部に当接していて、該張出部８ａは、押圧板８を前面外側に倒れ出ないように垂直に保持する保持部として設けられている。
【００１１】
他方、前記逆Ｌ字型押板７の押圧板８上端に連設した水平板９先端部（内端部）は、押圧板８が垂直状態において、水平方向の可動板４の前部に設けた傾斜面４ａに当接した状態で設けられ、傾斜面４ａは、押圧板８をそれ以上内側に倒れ込まないように垂直に保持する保持部として設けられている。
【００１２】
本発明の噴出ノズル付き正圧缶カバーキャップＡは、図２に示すように、逆Ｌ字型押板７の押圧板８を手指にて押圧することにより、押圧板８はヒンジ６を介して回動して、押圧板８上端の水平板９先端は、水平方向の可動板４の前部に設けた傾斜面４ａに沿って当接移動し、その当接移動により、該可動板４は、復元性のある柔軟な接続板３を介して、矢印方向に傾斜面４ａ側が下降して、水平状態から傾斜状態に揺動し、可動板４に立設したノズル部５が、所定角度θだけ倒れるようになっている。
【００１３】
他方、逆Ｌ字型押板７の押圧板８の押圧を解除することにより、可動板４は復元性のある接続板３の復元力により、図１に示すような水平状態に戻り、それとともに水平板９先端は可動板４の傾斜面４ａに沿って元の位置に戻り、逆Ｌ字型押板７の押圧板８は垂直方向に元の姿勢状態に戻る。
【００１４】
本発明の噴出ノズル付き正圧缶カバーキャップＡは、図１に示すように、噴出ノズル付き正圧缶Ｂの上部に被せて使用するものであり、正圧缶Ｂの上部に備えるノズル傾斜可動支持部２２に立設した噴出ノズル２３の少なくとも先端部は、カバーキャップＡのノズル部５の立設基端部の内部に嵌入した状態で被せられるものである。
【００１５】
そのため、図２に示すように、押圧板８を押圧することにより、可動板４及びノズル部５が所定角度θだけ傾斜し、該ノズル部５の立設基端部の内部に嵌入させた噴出ノズル付き正圧缶Ｂの噴出ノズル２３が傾斜揺動して、正圧缶Ｂ内のムースやエアゾールａは、噴出ノズル２３から噴出するとともにノズル部５から噴出される。
【００１６】
図３は、本発明の噴出ノズル付き正圧缶カバーキャップＡの組立構造の一例を説明する外観斜視図であり、側板１と天板２の一部分を切り欠いた切欠部１１に嵌入する逆Ｌ字型押板７は、例えば、側板１部分の切欠部１１下端部１２の外周にヒンジ１２ａを介して取り付けた接続用折返板１４にヒンジ６を介して取り付けられている。なお、逆Ｌ字型押板７の水平板９の両側には側面板９ａ、９ａを設けてもよい。
【００１７】
そして、図３に示すように、切欠部１１の前面外側に水平に開いた状態にある逆Ｌ字型押板７と接続用折返板１４とをヒンジ１２ａを介して立ち起こしながらヒンジ１２ａ、６を互いに逆方向に折り曲げることにより、接続用折返板１４を切欠部１１下端部１２面に折り重ね、その後、押圧板８の左右両側にある一対の張出部８ａ、８ａを、切欠部１１の左右両端部１３、１３を乗り越え側板１の内面側に嵌合して、図４の本発明の噴出ノズル付き正圧缶カバーキャップＡの外観斜視図に示すように、押圧板８及び逆Ｌ字型押板７を立設保持する。
【００１８】
【発明の効果】
本発明の噴出ノズル付き正圧缶カバーキャップは、容器内にプラス気圧を付加して、芳香剤、消臭剤、あるいは整髪液やシャンプー剤、髭剃り剤、あるいは虫避け剤、殺虫剤など、エアゾールやムース（泡状液）等の液体を正圧気体と共に充填密封した正圧缶容器であって、噴出ノズル本体を、所定角度に傾斜させることにより、噴出ノズル部と缶内とが連通し、噴出ノズルが開放して、缶内のムースやエアゾールを噴出ノズルから噴出させる形式の噴出ノズル付き正圧缶において、その缶の上部に噴出ノズル部を含めて被せるプラスチック製のカバーキャップであって、正圧缶の噴射ノズル部を保護するとともに、意匠性を付与するためのカバーキャップ機能を備え、そのカバーキャップの押圧板を横方向から押圧することにより正圧缶の噴出ノズルを傾斜させて、缶内のムースやエアゾールを噴出ノズルから噴出させるディスペンサー機能とを付加することが可能である。
【図面の簡単な説明】
【図１】本発明の噴出ノズル付き正圧缶カバーキャップＡの側断面図及びカバーキャップＡを被せた噴出ノズル付き正圧缶Ｂの側面図。
【図２】本発明の噴出ノズル付き正圧缶カバーキャップの押圧板を押圧して、ムースやエアゾールを噴出させた状態を説明するカバーキャップＡの側断面図。
【図３】本発明の噴出ノズル付き正圧缶カバーキャップＡの組立構造を説明する外観斜視図。
【図４】噴出ノズル付き正圧缶Ｂに被せた本発明の噴出ノズル付き正圧缶カバーキャップＡの外観斜視図。
【符号の説明】
Ａ…噴出ノズル付き正圧缶カバーキャップ　Ｂ…噴出ノズル付き正圧缶
１…側板　２…天板　３…接続板　４…可動板　４ａ…傾斜面　５…ノズル部
６…ヒンジ　７…逆Ｌ字型押板　８…押圧板　８ａ…張出部　９…水平板
１１…切欠部　１２…切欠部水平下端部　１２ａ…ヒンジ
１３…切欠部左右端部　１４…接続用折返板
【図１】
2004089842.tif 000003
【図２】
2004089842.tif 000004
【図３】
2004089842.tif 000005
【図４】
2004089842.tif 000006